(57)【要約】【課題】  本発明は、シルト、粘性土等の浄化促進剤を充填しにくい、ＶＯＣ揮発性有機化合物汚染土壌を簡易な方法で、より確実で経済的に浄化することができる土壌浄化システムを得るにある。【解決手段】  浄化促進剤注入プラントに接続された浄化促進剤を汚染土壌内へ投入することができる噴射ノズルを有する投入ロッドおよびウェルポイント浄化促進剤回収ノッチプラントに接続されたウェルポイント浄化促進剤を回収することができる回収孔を有する回収ロッドを、それぞれ汚染土壌の上層からほぼ同じ深度となるように設置する投入ロッドおよび回収ロッドの設置工程と、この投入ロッドおよび回収ロッドの設置工程後に投入ロッドで汚染土壌内へ浄化促進剤を投入するとともに、この投入する浄化促進剤と同じ量を回収ロッドより揚水して回収する浄化促進剤投入回収工程と、この浄化促進剤投入回収工程で回収ロッドより回収した地下水を含む浄化促進剤を浄化する浄化工程とで土壌浄化システムを構成している。  【選択図】  図１
2009006265.tif 000002
【特許請求の範囲】
【請求項１】
浄化促進剤注入プラントに接続された浄化促進剤を汚染土壌内へ投入することができる噴射ノズルを有する投入ロッドおよびウェルポイント浄化促進剤回収ノッチプラントに接続されたウェルポイント浄化促進剤を回収することができる回収孔を有する回収ロッドを、それぞれ汚染土壌の上層からほぼ同じ深度となるように設置する投入ロッドおよび回収ロッドの設置工程と、この投入ロッドおよび回収ロッドの設置工程後に投入ロッドで汚染土壌内へ浄化促進剤を投入するとともに、この投入する浄化促進剤と同じ量を前記回収ロッドより揚水して回収する浄化促進剤投入回収工程と、この浄化促進剤投入回収工程で回収ロッドより回収した地下水を含む浄化促進剤を浄化する浄化工程とを含むことを特徴とする土壌浄化システム。
【請求項２】
浄化促進剤注入プラントに接続された浄化促進剤を汚染土壌内へ投入することができる噴射ノズルを有する投入ロッドおよびウェルポイント浄化促進剤回収ノッチプラントに接続されたウェルポイント浄化促進剤を回収することができる回収孔を有する回収ロッドを、それぞれ汚染土壌の上層からほぼ同じ深度となるように設置する投入ロッドおよび回収ロッドの設置工程と、この投入ロッドおよび回収ロッドの設置工程後に投入ロッドで汚染土壌内へ浄化促進剤を投入するとともに、この投入する浄化促進剤と同じ量を前記回収ロッドより揚水して回収する浄化促進剤投入回収工程と、この浄化促進剤投入回収工程で回収ロッドより回収した地下水を含む浄化促進剤を浄化する浄化工程と、前記浄化促進剤投入回収工程終了後に、前記投入ロッドおよび回収ロッドの設置工程で設置された投入ロッドおよび回収ロッドを所定量深い、同じ深度となるように設置する投入ロッドおよび回収ロッドの第２の設置工程と、この投入ロッドおよび回収ロッドの第２の設置工程後に、投入ロッドで汚染土壌内へ浄化促進剤を投入するとともに、この投入する浄化促進剤と同じ量を前記回収ロッドより揚水して回収する第２の浄化促進剤投入回収工程と、この第２の浄化促進剤投入回収工程で回収ロッドより回収した地下水を含む浄化促進剤を浄化する第２の浄化工程とを含むことを特徴とする土壌浄化システム。  
【発明の詳細な説明】
【技術分野】
【０００１】
本発明はＶＯＣ揮発性有機化合物汚染土壌を土壌浄化促進剤により浄化させる土壌浄化システムに関する。
【背景技術】
【０００２】
従来、ＶＯＣ揮発性有機化合物汚染土壌を特許第３７５２２５３号、あるいはプロバゲーションなる手法により汚染土壌に高圧噴射したり、砂層を人工的に作り、過酸化水素を充填することでＶＯＣを土壌浄化促進剤により浄化することが考えられている。
【０００３】
しかしながら、汚染された地層が砂質土とシルト粘性土などの深度の層により透水性が著しく違う場合、透水性のよい砂層に過酸化水素が充填されシルト粘土に入りにくく均質に過酸化水素が接触せず、完全な土壌浄化促進が形成されないことがあった。また、過酸化水素が充分に充填されているかの確認をチェックボーリングにより確認するが、リアルタイムで確認できなかった。過酸化水素が砂層に回ると地表へ噴出することがあり、非効率な浄化となる場合があった。
土壌浄化促進剤や鉄粉をスラリー状にした浄化などの工法は、浄化終了後スラリー撹拌充填による地質が軟弱化するので、さらに地質改良工事を行なわなければならず、浄化以外のコストがかかるという欠点があった。
【特許文献１】特許第３７５２２５３号
【発明の開示】
【発明が解決しようとする課題】
【０００４】
本発明は以上のような従来の欠点に鑑み、シルト、粘性土等の浄化促進剤を充填しにくい、ＶＯＣ揮発性有機化合物汚染土壌を簡易な方法で、より確実で経済的に浄化することができる土壌浄化システムを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は浄化促進剤注入プラントに接続された浄化促進剤を汚染土壌内へ投入することができる噴射ノズルを有する投入ロッドおよびウェルポイント浄化促進剤回収ノッチプラントに接続されたウェルポイント浄化促進剤を回収することができる回収孔を有する回収ロッドを、それぞれ汚染土壌の上層からほぼ同じ深度となるように設置する投入ロッドおよび回収ロッドの設置工程と、この投入ロッドおよび回収ロッドの設置工程後に投入ロッドで汚染土壌内へ浄化促進剤を投入するとともに、この投入する浄化促進剤と同じ量を前記回収ロッドより揚水して回収する浄化促進剤投入回収工程と、この浄化促進剤投入回収工程で回収ロッドより回収した地下水を含む浄化促進剤を浄化する浄化工程とで土壌浄化システムを構成している。
【０００７】
本発明は浄化促進剤注入プラントに接続された浄化促進剤を汚染土壌内へ投入することができる噴射ノズルを有する投入ロッドおよびウェルポイント浄化促進剤回収ノッチプラントに接続されたウェルポイント浄化促進剤を回収することができる回収孔を有する回収ロッドを、それぞれ汚染土壌の上層からほぼ同じ深度となるように設置する投入ロッドおよび回収ロッドの設置工程と、この投入ロッドおよび回収ロッドの設置工程後に投入ロッドで汚染土壌内へ浄化促進剤を投入するとともに、この投入する浄化促進剤と同じ量を前記回収ロッドより揚水して回収する浄化促進剤投入回収工程と、この浄化促進剤投入回収工程で回収ロッドより回収した地下水を含む浄化促進剤を浄化する浄化工程と、前記浄化促進剤投入回収工程終了後に、前記投入ロッドおよび回収ロッドの設置工程で設置された投入ロッドおよび回収ロッドを所定量深い、同じ深度となるように設置する投入ロッドおよび回収ロッドの第２の設置工程と、この投入ロッドおよび回収ロッドの第２の設置工程後に、投入ロッドで汚染土壌内へ浄化促進剤を投入するとともに、この投入する浄化促進剤と同じ量を前記回収ロッドより揚水して回収する第２の浄化促進剤投入回収工程と、この第２の浄化促進剤投入回収工程で回収ロッドより回収した地下水を含む浄化促進剤を浄化する第２の浄化工程とで土壌浄化システムを構成している。
【発明の効果】
【０００８】
以上の説明から明らかなように、本発明にあっては次に列挙する効果が得られる。
【０００９】
（１）浄化促進剤注入プラントに接続された浄化促進剤を汚染土壌内へ投入することができる噴射ノズルを有する投入ロッドおよびウェルポイント浄化促進剤回収ノッチプラントに接続されたウェルポイント浄化促進剤を回収することができる回収孔を有する回収ロッドを、それぞれ汚染土壌の上層からほぼ同じ深度となるように設置する投入ロッドおよび回収ロッドの設置工程と、この投入ロッドおよび回収ロッドの設置工程後に投入ロッドで汚染土壌内へ浄化促進剤を投入するとともに、この投入する浄化促進剤と同じ量を前記回収ロッドより揚水して回収する浄化促進剤投入回収工程と、この浄化促進剤投入回収工程で回収ロッドより回収した地下水を含む浄化促進剤を浄化する浄化工程とで構成されているので、浄化促進剤投入回収工程で、投入ロッドで汚染土壌内へ浄化促進剤を投入するとともに、この投入する浄化促進剤と同じ量を回収ロッドより揚水して回収するので、シルト、粘土層等の充填性の悪い土壌でも投入口より投入された浄化促進剤を砂層等への移流拡散することなく、回収ロッドで回収でき、シルト、粘土層等の充填性の悪い土壌でも土壌浄化促進剤で浄化することができる。
【００１０】
（２）前記（１）によって、回収ロッドでは地下水を揚水しながら浄化促進剤が揚水されるまで、投入ロッドで浄化促進剤を投入するので、容易に充填効果が確認でき、確実に汚染土壌を土壌浄化促進剤で浄化することができる。
【００１１】
（３）前記（１）によって、砂層等への移流拡散がないので浄化促進剤の消費量が少なく、他の浄化剤への併用が可能である。
【００１２】
（４）前記（１）によって、揚水する地下水と、投入する浄化促進剤の量を均衝するので、汚染土壌地盤の過飽和による強度低下を防止することができる。
【００１３】
（５）請求項２も前記（１）〜（４）と同様な効果が得られるとともに、任意の深さまでの汚染土壌の浄化を行なうことができる。
【発明を実施するための最良の形態】
【００１４】
以下、図面に示す本発明を実施するための最良の形態により、本発明を詳細に説明する。
【００１５】
図１ないし図６に示す本発明を実施するための最良の第１の形態において、１はＶＯＣ揮発性有機化合物汚染土壌を土壌浄化促進剤を用いて浄化する本発明の土壌浄化システムで、この土壌浄化システム１は汚染土壌２により硫酸第１鉄、クエン酸充填後、過酸化水素や一般的に栄養塩といわれているORC、HRC等の浄化促進剤を充填できる浄化促進剤注入プラント３に接続された浄化促進剤を汚染土壌２内へ投入することができる噴射ノズル４を有する投入ロッド５および、地下水から浄化促進剤が回収されるまで揚水し、地下水を浄化して放流するウェルポイント浄化促進剤回収ノッチプラント６に接続されたウェルポイント浄化促進剤を回収することができる回収孔７を有する回収ロッド８を、それぞれ汚染土壌２の上層から、例えば１ｍ間隔の格子状でほぼ同じ深度となるように設置する投入ロッドおよび回収ロッドの設置工程９と、この投入ロッドおよび回収ロッドの設置工程９後に、投入ロッド５で汚染土壌２内へ浄化促進剤を投入するとともに、この投入する浄化促進剤と同じ量を前記回収ロッド８より揚水して回収する浄化促進剤投入回収工程１０と、この浄化促進剤投入回収工程１０で回収ロッド８より回収した地下水を含む浄化促進剤を浄化して排水する浄化工程１１と、前記浄化促進剤投入回収工程１０で、回収ロッド８で地下水を含まない浄化促進剤が回収されると浄化促進剤投入回収工程１０が終了し、この終了後に前記投入ロッドおよび回収ロッドの設置工程９で設置された投入ロッド５および回収ロッド８を所定量、深い同じ深度、例えば１ｍ程、深い深度に設置する投入ロッドおよび回収ロッドの第２の設置工程１２と、この投入ロッドおよび回収ロッドの第２の設置工程１２後に、投入ロッド５で汚染土壌２内へ浄化促進剤を投入するとともに、この投入する浄化促進剤と同じ量を前記回収ロッドより揚水して回収する第２の浄化促進剤投入回収工程１３と、この第２の浄化促進剤投入回収工程１３で回収ロッド８より回収した地下水を含む浄化促進剤を浄化する第２の浄化工程１４とで構成されている。
【００１６】
なお、汚染土壌２が深い範囲に存在する場合には、投入ロッド５および回収ロッド８を、例えば１ｍごと押し込む投入ロッドおよび回収ロッドの設置工程９、浄化促進剤投入回収工程１０、浄化工程１１を順次行ないながら、汚染土壌２の上部から下部へと順次浄化していく。
【００１７】
上記構成の土壌浄化システム１は汚染土壌２へ投入ロッド５および回収ロッド８をほぼ同じ深度に設置し、浄化促進剤注入プラント３および投入ロッド５より浄化促進剤を汚染土壌２内へ投入するとともに、この投入された浄化促進剤と同じ量を回収ロッド８より揚水してウェルポイント浄化促進剤回収ノッチプラント６へ回収するので、透水性のよい砂層への移流拡散することなく、汚染土壌２へ浄化促進剤を行き渡らせて、浄化することができる。
[発明を実施するための異なる形態]
【００１８】
次に、図７ないし図９に示す本発明を実施するための異なる形態につき説明する。なお、この本発明を実施するための異なる形態の説明に当って、前記本発明を実施するための最良の第１の形態と同一構成部分には同一符号を付して重複する説明を省略する。
【００１９】
図７ないし図９に示す本発明を実施するための第２の形態において、前記本発明を実施するための最良の第１の形態と主に異なる点は、投入ロッド５と回収ロッド８とを交互に位置するように配置した投入ロッドおよび回収ロッドの設置工程９Ａを用いた点で、このような投入ロッドおよび回収ロッドの設置工程９Ａを用いて土壌浄化システム１Ａを行なっても、前記本発明を実施するための最良の第１の形態と同様な作用効果が得られる。
【産業上の利用可能性】
【００２０】
本発明はＶＯＣ揮発性有機化合物汚染土壌を土壌浄化促進剤で浄化させる産業で利用される。
【図面の簡単な説明】
【００２１】
【図１】本発明を実施するための最良の第１の形態の工程図。
【図２】本発明を実施するための最良の第１の形態の概略説明図。
【図３】本発明を実施するための最良の第１の形態の投入ロッドと回収ロッドの配置状態の説明図。
【図４】本発明を実施するための最良の第１の形態の投入ロッドの説明図。
【図５】本発明を実施するための最良の第１の形態の回収ロッドの説明図。
【図６】本発明を実施するための最良の第１の形態の浄化促進剤投入回収工程の説明図。
【図７】本発明を実施するための第２の形態の工程図。
【図８】本発明を実施するための第２の形態の概略説明図。
【図９】本発明を実施するための第２の形態の投入ロッドと回収ロッドの配置状態の説明図。
【符号の説明】
【００２２】
１、１Ａ：土壌浄化システム、
２：汚染土壌、                                ３：浄化促進剤注入プラント、
４：噴射ノズル、                                      ５：投入ロッド、    
６：ウェルポイント浄化促進剤回収ノッチプラント、
７：回収孔、                                                ８：回収ロッド、
９、９Ａ：投入ロッドおよび回収ロッドの第２の設置工程、
１０：浄化促進剤投入回収工程、１１：浄化工程、
１２：投入ロッドおよび回収ロッドの第２の設置工程、
１３：第２の浄化促進剤投入回収工程、
１４：第２の浄化工程。
【図１】
2009006265.tif 000003
【図２】
2009006265.tif 000004
【図３】
2009006265.tif 000005
【図４】
2009006265.tif 000006
【図５】
2009006265.tif 000007
【図６】
2009006265.tif 000008
【図７】
2009006265.tif 000009
【図８】
2009006265.tif 000010
【図９】
2009006265.tif 000011